【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、前記可変表示部の変動表示を停止することで表示結果を導出し、該表示結果に応じて入賞が発生可能なスロットマシンと、前記スロットマシンによる遊技の試験を行うことが可能な試験装置と、を含む試験システムにおいて、
前記試験装置は、
試験用信号を出力する試験用信号出力制御手段と、
試験信号を入力する試験信号入力手段と、
を備え、
前記スロットマシンは、
遊技の制御を行う遊技制御手段と、
遊技者が表示結果を導出させるために操作する導出操作手段と、
を備え、
前記遊技制御手段は、
前記導出操作手段の操作態様を特定可能に報知させる報知制御を行うことが可能な報知制御手段と、
前記導出操作手段の操作を示す特定信号が試験用信号として入力されたことに基づいて表示結果を導出する制御を行う導出制御手段と、
遊技の結果を示す遊技結果信号を試験信号として出力するための制御を行う遊技結果信号出力制御手段と、
前記報知制御により特定可能に報知される前記導出操作手段の操作態様を示す操作態様信号を試験信号として出力するための制御を行う操作態様信号出力制御手段と、
を含み、
前記遊技結果信号は、前記遊技制御手段が搭載された遊技制御基板から第１の中継基板を介して前記試験装置に出力可能とされ、
前記操作態様信号は、前記遊技制御基板から第２の中継基板を介して前記試験装置に出力可能とされ、
前記遊技制御基板と前記第１の中継基板とは電源線を介して接続可能とされ、前記遊技制御基板から前記第１の中継基板に対して直接電源が供給され、
前記遊技制御基板から前記第２の中継基板には直接電源が供給されず、前記第１の中継基板に対して供給された電源が該第１の中継基板から前記第２の中継基板に対して供給される、試験システム。
【請求項２】
各々が識別可能な複数種類の識別情報を変動表示可能な可変表示部の変動表示を停止することで表示結果を導出し、該表示結果に応じて入賞が発生可能であり、試験装置からの試験用信号に基づいて遊技の試験を行い、試験信号を出力可能なスロットマシンにおいて、
遊技の制御を行う遊技制御手段と、
遊技者が表示結果を導出させるために操作する導出操作手段と、
を備え、
前記遊技制御手段は、
前記導出操作手段の操作態様を特定可能に報知させる報知制御を行うことが可能な報知制御手段と、
前記導出操作手段の操作を示す特定信号が試験用信号として入力されたことに基づいて表示結果を導出する制御を行う導出制御手段と、
遊技の結果を示す遊技結果信号を試験信号として出力するための制御を行う遊技結果信号出力制御手段と、
前記報知制御により特定可能に報知される前記導出操作手段の操作態様を示す操作態様信号を試験信号として出力するための制御を行う操作態様信号出力制御手段と、
を含み、
前記遊技結果信号は、前記遊技制御手段が搭載された遊技制御基板から第１の中継基板を介して前記試験装置に出力可能とされ、
前記操作態様信号は、前記遊技制御基板から第２の中継基板を介して前記試験装置に出力可能とされ、
前記遊技制御基板と前記第１の中継基板とは電源線を介して接続可能とされ、前記遊技制御基板から前記第１の中継基板に対して直接電源を供給可能とし、
前記遊技制御基板から前記第２の中継基板には直接電源を供給可能とせず、前記第１の中継基板に対して供給された電源を該第１の中継基板から前記第２の中継基板に対して供給可能とする、スロットマシン。
【手続補正２】
【補正対象書類名】明細書
【補正対象項目名】発明の名称
【補正方法】変更
【補正の内容】
【発明の名称】試験システム及びスロットマシン
【手続補正３】
【補正対象書類名】明細書
【補正対象項目名】０００１
【補正方法】変更
【補正の内容】
【０００１】
本発明は、遊技の試験を行う試験システム及びスロットマシンに関する。
【手続補正４】
【補正対象書類名】明細書
【補正対象項目名】０００２
【補正方法】変更
【補正の内容】
【０００２】
この種の試験システムとして、スロットマシンと試験装置とがインターフェイス基板（中継基板）を介して接続されるものが提案されている（例えば、特許文献１参照）。
【手続補正５】
【補正対象書類名】明細書
【補正対象項目名】０００３
【補正方法】変更
【補正の内容】
【０００３】
【特許文献１】特開２０１０−６３９２２号公報
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】変更
【補正の内容】
【０００５】
本発明は、遊技制御基板と中継基板との間の配線を少なくできる試験システム及びスロットマシンを提供することを目的とする。
【手続補正８】
【補正対象書類名】明細書
【補正対象項目名】０００６
【補正方法】変更
【補正の内容】
【０００６】
上記課題を解決するために、本発明の請求項１に記載の試験システムは、
各々が識別可能な複数種類の識別情報を変動表示可能な可変表示部を備え、前記可変表示部の変動表示を停止することで表示結果を導出し、該表示結果に応じて入賞が発生可能なスロットマシンと、前記スロットマシンによる遊技の試験を行うことが可能な試験装置と、を含む試験システムにおいて、
前記試験装置は、
試験用信号を出力する試験用信号出力制御手段と、
試験信号を入力する試験信号入力手段と、
を備え、
前記スロットマシンは、
遊技の制御を行う遊技制御手段と、
遊技者が表示結果を導出させるために操作する導出操作手段と、
を備え、
前記遊技制御手段は、
前記導出操作手段の操作態様を特定可能に報知させる報知制御を行うことが可能な報知制御手段と、
前記導出操作手段の操作を示す特定信号が試験用信号として入力されたことに基づいて表示結果を導出する制御を行う導出制御手段と、
遊技の結果を示す遊技結果信号を試験信号として出力するための制御を行う遊技結果信号出力制御手段と、
前記報知制御により特定可能に報知される前記導出操作手段の操作態様を示す操作態様信号を試験信号として出力するための制御を行う操作態様信号出力制御手段と、
を含み、
前記遊技結果信号は、前記遊技制御手段が搭載された遊技制御基板から第１の中継基板を介して前記試験装置に出力可能とされ、
前記操作態様信号は、前記遊技制御基板から第２の中継基板を介して前記試験装置に出力可能とされ、
前記遊技制御基板と前記第１の中継基板とは電源線を介して接続可能とされ、前記遊技制御基板から前記第１の中継基板に対して直接電源が供給され、
前記遊技制御基板から前記第２の中継基板には直接電源が供給されず、前記第１の中継基板に対して供給された電源が該第１の中継基板から前記第２の中継基板に対して供給される
ことを特徴としている。
【手続補正９】
【補正対象書類名】明細書
【補正対象項目名】０００７
【補正方法】変更
【補正の内容】
【０００７】
本発明の請求項２に記載のスロットマシンは、
各々が識別可能な複数種類の識別情報を変動表示可能な可変表示部の変動表示を停止することで表示結果を導出し、該表示結果に応じて入賞が発生可能であり、試験装置からの試験用信号に基づいて遊技の試験を行い、試験信号を出力可能なスロットマシンにおいて、
遊技の制御を行う遊技制御手段と、
遊技者が表示結果を導出させるために操作する導出操作手段と、
を備え、
前記遊技制御手段は、
前記導出操作手段の操作態様を特定可能に報知させる報知制御を行うことが可能な報知制御手段と、
前記導出操作手段の操作を示す特定信号が試験用信号として入力されたことに基づいて表示結果を導出する制御を行う導出制御手段と、
遊技の結果を示す遊技結果信号を試験信号として出力するための制御を行う遊技結果信号出力制御手段と、
前記報知制御により特定可能に報知される前記導出操作手段の操作態様を示す操作態様信号を試験信号として出力するための制御を行う操作態様信号出力制御手段と、
を含み、
前記遊技結果信号は、前記遊技制御手段が搭載された遊技制御基板から第１の中継基板を介して前記試験装置に出力可能とされ、
前記操作態様信号は、前記遊技制御基板から第２の中継基板を介して前記試験装置に出力可能とされ、
前記遊技制御基板と前記第１の中継基板とは電源線を介して接続可能とされ、前記遊技制御基板から前記第１の中継基板に対して直接電源を供給可能とし、
前記遊技制御基板から前記第２の中継基板には直接電源を供給可能とせず、前記第１の中継基板に対して供給された電源を該第１の中継基板から前記第２の中継基板に対して供給可能とする
ことを特徴としている。
【手続補正１０】
【補正対象書類名】明細書
【補正対象項目名】０００８
【補正方法】変更
【補正の内容】
【０００８】
手段１の試験システムは、
各々が識別可能な複数種類の識別情報を変動表示可能な可変表示部（リール２Ｌ、２Ｃ、２Ｒ）を備え、前記可変表示部（リール２Ｌ、２Ｃ、２Ｒ）の変動表示を停止することで表示結果を導出し、該表示結果に応じて入賞が発生可能なスロットマシン（スロットマシン１）と、前記スロットマシンによる遊技の試験を行うことが可能な試験装置（試験装置１３００）と、を含む試験システムにおいて、
前記試験装置は、
試験用信号を出力する試験用信号出力制御手段（試験用信号の出力）と、
試験信号を入力する試験信号入力手段（試験信号の入力）と、
を備え、
前記スロットマシンは、
遊技の制御を行う遊技制御手段（メイン制御部４１）と、
遊技者が表示結果を導出させるために操作する導出操作手段（ストップスイッチ８Ｌ、８Ｃ、８Ｒ）と、
を備え、
前記遊技制御手段（メイン制御部４１）は、
前記導出操作手段の操作態様を特定可能に報知させる報知制御（ナビ報知）を行うことが可能な報知制御手段と、
前記導出操作手段の操作を示す特定信号（第１〜３リールストップスイッチ信号）が試験用信号として入力されたことに基づいて表示結果を導出する制御を行う導出制御手段（リールの停止制御）と、
遊技の結果を示す遊技結果信号（内部当選フラグ信号、払出カウント信号等）を試験信号として出力するための制御を行う遊技結果信号出力制御手段と、
前記報知制御（ナビ報知）により特定可能に報知される前記導出操作手段の操作態様を示す操作態様信号（ナビ報知信号）を試験信号として出力するための制御を行う操作態様信号出力制御手段と、
を含み、
前記遊技結果信号（内部当選フラグ信号、払出カウント信号等）は、前記遊技制御手段（メイン制御部４１）が搭載された遊技制御基板（遊技制御基板４０）から第１の中継基板（ＩＦ１基板１１００）を介して前記試験装置（試験装置１３００）に出力可能とされ、
前記操作態様信号（ナビ報知信号）は、前記遊技制御基板（遊技制御基板４０）から第２の中継基板（ＩＦ２基板１２００）を介して前記試験装置（試験装置１３００）に出力可能とされ、
前記遊技制御基板（遊技制御基板４０）と前記第１の中継基板（ＩＦ１基板１１００）とは電源線を介して接続可能とされ、前記遊技制御基板（遊技制御基板４０）から前記第１の中継基板（ＩＦ１基板１１００）に対して直接電源が供給され、
前記遊技制御基板（遊技制御基板４０）から前記第２の中継基板（ＩＦ２基板１２００）には直接電源が供給されず、前記第１の中継基板（ＩＦ１基板１１００）に対して供給された電源が該第１の中継基板（ＩＦ１基板１１００）から前記第２の中継基板（ＩＦ２基板１２００）に対して供給される
ことを特徴としている。
この特徴によれば、遊技制御基板から出力される試験信号のうち遊技結果信号は、第１の中継基板を介して試験装置に出力され、操作態様信号は、第２の中継基板を介して試験装置に出力される構成において、遊技制御基板と第１の中継基板とは電源線を介して接続可能とされ、遊技制御基板から第１の中継基板に対して直接電源が供給される一方で、遊技制御基板から第２の中継基板には直接電源が供給されず、第１の中継基板に対して供給された電源が該第１の中継基板から第２の中継基板に対して供給されるので、遊技制御基板と、第１の中継基板及び第２の中継基板と、の間の配線を少なくできる。
【手続補正１１】
【補正対象書類名】明細書
【補正対象項目名】０００９
【補正方法】変更
【補正の内容】
【０００９】
手段２のスロットマシンは、
各々が識別可能な複数種類の識別情報を変動表示可能な可変表示部（リール２Ｌ、２Ｃ、２Ｒ）を備え、前記可変表示部（リール２Ｌ、２Ｃ、２Ｒ）の変動表示を停止することで表示結果を導出し、該表示結果に応じて入賞が発生可能であり、試験装置からの試験用信号に基づいて遊技の試験を行い、試験信号を出力可能なスロットマシンにおいて、
遊技の制御を行う遊技制御手段（メイン制御部４１）と、
遊技者が表示結果を導出させるために操作する導出操作手段（ストップスイッチ８Ｌ、８Ｃ、８Ｒ）と、
を備え、
前記遊技制御手段（メイン制御部４１）は、
前記導出操作手段の操作態様を特定可能に報知させる報知制御（ナビ報知）を行うことが可能な報知制御手段と、
前記導出操作手段の操作を示す特定信号（第１〜３リールストップスイッチ信号）が試験用信号として入力されたことに基づいて表示結果を導出する制御を行う導出制御手段（リールの停止制御）と、
遊技の結果を示す遊技結果信号（内部当選フラグ信号、払出カウント信号等）を試験信号として出力するための制御を行う遊技結果信号出力制御手段と、
前記報知制御（ナビ報知）により特定可能に報知される前記導出操作手段の操作態様を示す操作態様信号（ナビ報知信号）を試験信号として出力するための制御を行う操作態様信号出力制御手段と、
を含み、
前記遊技結果信号（内部当選フラグ信号、払出カウント信号等）は、前記遊技制御手段（メイン制御部４１）が搭載された遊技制御基板（遊技制御基板４０）から第１の中継基板（ＩＦ１基板１１００）を介して前記試験装置（試験装置１３００）に出力可能とされ、
前記操作態様信号（ナビ報知信号）は、前記遊技制御基板（遊技制御基板４０）から第２の中継基板（ＩＦ２基板１２００）を介して前記試験装置（試験装置１３００）に出力可能とされ、
前記遊技制御基板（遊技制御基板４０）と前記第１の中継基板（ＩＦ１基板１１００）とは電源線を介して接続可能とされ、前記遊技制御基板（遊技制御基板４０）から前記第１の中継基板（ＩＦ１基板１１００）に対して直接電源を供給可能とし、
前記遊技制御基板（遊技制御基板４０）から前記第２の中継基板（ＩＦ２基板１２００）には直接電源を供給可能とせず、前記第１の中継基板（ＩＦ１基板１１００）に対して供給された電源を該第１の中継基板（ＩＦ１基板１１００）から前記第２の中継基板（ＩＦ２基板１２００）に対して供給可能とする
ことを特徴としている。
この特徴によれば、遊技制御基板から出力される試験信号のうち遊技結果信号は、第１の中継基板を介して試験装置に出力され、操作態様信号は、第２の中継基板を介して試験装置に出力される構成において、遊技制御基板と第１の中継基板とは電源線を介して接続可能とされ、遊技制御基板から第１の中継基板に対して直接電源が供給される一方で、遊技制御基板から第２の中継基板には直接電源が供給されず、第１の中継基板に対して供給された電源が該第１の中継基板から第２の中継基板に対して供給されるので、遊技制御基板と、第１の中継基板及び第２の中継基板と、の間の配線を少なくできる。
【手続補正１２】
【補正対象書類名】明細書
【補正対象項目名】００１０
【補正方法】変更
【補正の内容】
【００１０】
尚、手段１、２において試験装置が行う遊技の試験とは、スロットマシンが適切に動作するか否か、遊技用価値の付与率が適正な範囲となるか否か等の性能を確認するための試験である。
また、手段２のスロットマシンは、試験装置からの試験用信号に基づいて遊技の試験を行い、試験信号を出力可能なものであれば良く、試験信号の信号線やこれら信号線を接続するためのコネクタ等を備えていない構成であっても良い。
また、手段２において前記第１の中継基板に対して供給された電源を該第１の中継基板から前記第２の中継基板に対して供給可能とするとは、例えば、第１の中継基板で用いる電力と第２の中継基板で用いる電力との双方の電力が確保される電源を第１の中継基板に対して供給可能とすることである。
【手続補正１３】
【補正対象書類名】明細書
【補正対象項目名】００１１
【補正方法】変更
【補正の内容】
【００１１】
手段３の試験システム、スロットマシンは、手段１に記載の試験システムまたは手段２に記載のスロットマシンであって、
前記第１の中継基板（ＩＦ１基板１１００）または前記第２の中継基板（ＩＦ２基板１２００）は、前記遊技制御基板（遊技制御基板４０）から出力された試験信号を前記試験装置（試験装置１３００）にて入力可能な態様に変換する変換手段（ＩＦ２制御部１２０３）を備え、
前記変換手段（ＩＦ２制御部１２０３）は、前記遊技制御基板（遊技制御基板４０）から供給された電源により動作する
ことを特徴としている。
この特徴によれば、遊技制御基板から出力される試験信号を簡素化することができる。
【手続補正１４】
【補正対象書類名】明細書
【補正対象項目名】００１２
【補正方法】変更
【補正の内容】
【００１２】
手段４の試験システム、スロットマシンは、手段１または３に記載の試験システムまたは手段２または３に記載のスロットマシンであって、
前記遊技制御基板（遊技制御基板４０）から出力された試験信号は、前記第１の中継基板（ＩＦ１基板１１００）及び前記第２の中継基板（ＩＦ２基板１２００）に搭載されたフォトカプラを介して前記試験装置（試験装置１３００）に出力される
ことを特徴としている。
この特徴によれば、スロットマシンと試験装置とが電気的に接続されないので、一方の機器の異常により他方の機器が破損してしまうことを防止できる。
【手続補正１５】
【補正対象書類名】明細書
【補正対象項目名】００１３
【補正方法】変更
【補正の内容】
【００１３】
手段５の試験システム、スロットマシンは、手段１、３または４のいずれかに記載の試験システムまたは手段２〜４のいずれかに記載のスロットマシンであって、
前記報知制御手段は、報知手段（遊技補助表示器１２）にて前記導出操作手段の操作態様を特定可能に報知させる報知制御（ナビ報知）を行い、
前記操作態様信号（ナビ報知信号）は、前記報知手段（遊技補助表示器１２）の駆動信号を分岐させた信号である
ことを特徴としている。
この特徴によれば、報知手段の駆動信号を操作態様信号として利用することができる。
【手続補正１６】
【補正対象書類名】明細書
【補正対象項目名】００１４
【補正方法】変更
【補正の内容】
【００１４】
本発明の手段６の試験システム、スロットマシンは、手段１、３〜５のいずれかに記載の試験システムまたは手段２〜５のいずれかに記載のスロットマシンであって、
前記遊技制御基板（遊技制御基板４０）において前記遊技結果信号（内部当選フラグ信号、払出カウント信号等）を前記第１の中継基板（ＩＦ１基板１１００）に対して出力するための回路は、前記遊技制御手段（遊技制御基板４０）が前記報知制御手段及び前記操作態様信号出力手段を備えないスロットマシンにおいて前記遊技結果信号（内部当選フラグ信号、払出カウント信号等）を前記第１の中継基板（ＩＦ１基板１１００）に対して出力するための回路（第１情報出力回路４０ａ）と共通である
ことを特徴としている。
この特徴によれば、前記報知制御手段及び前記操作態様信号出力手段を備えるか否かに関わらず、遊技制御基板において遊技結果信号を第１の中継基板に対して出力するための回路を共通化することができる。